(57)【要約】【課題】  様々な状況に合せた光を発光させる照明装置を提供する。【解決手段】  本発明の一実施形態に係る照明装置１０は、発光装置１と、第１センサ９１と、制御部７１とを備えている。第１センサ９１は、外部情報を受信して、第１外部情報として送信する。制御部７１は、第１センサ９１からの第１外部情報に基づき、発光装置１に通電される電流または電圧を制御する。【選択図】  図９
2020107422.tif 000002
【特許請求の範囲】
【請求項１】
発光装置と、
外部情報を受信し、第１外部情報を送信する第１センサと、
前記第１センサからの前記第１外部情報に基づき、前記発光装置に通電される電流または電圧を制御する制御部と、を備えたことを特徴とする照明装置。
【請求項２】
外部情報および／または前記第１外部情報を記憶情報として蓄積する記憶部をさらに備えたことを特徴とする請求項１に記載の照明装置。
【請求項３】
前記第１センサから送信した前記第１外部情報と、
前記記憶部で蓄積されている前記記憶情報と、を比較し、比較結果に基づき、前記第１外部情報と前記記憶情報と一致させるように演算する演算部をさらに備えたことを特徴とする請求項２に記載の照明装置。
【請求項４】
発光装置と、
外部情報を受信し、第１外部情報として送信する第１センサと、
前記第１外部情報を受信する受信部と、
前記発光装置から出射される光の情報を受信し、前記受信部に第２外部情報として送信する第２センサと、
前記第１外部情報と前記第２外部情報を比較および／または演算する演算処理をする演算部と、
前記演算部と電気的に接続されており、前記演算処理に基づいて前記発光装置に通電される電流または電圧を制御する制御部と、を備えたことを特徴する照明装置。
【請求項５】
前記発光装置から出射される光は、３６０〜４３０ｎｍの波長領域にピーク波長を有することを特徴とする請求項１〜４のいずれか１つに記載の照明装置。
【請求項６】
発光装置と、
第１外部情報を送信する第１センサと、
前記第１センサからの前記第１外部情報を無線受信する受信部と、
前記発光装置から出射される光の情報を受信し、前記受信部に第２外部情報を無線送信する第２センサと、
制御部と電気的に接続されており、前記第１外部情報と前記第２外部情報を比較および／または演算する演算処理をする演算部と、
前記演算処理に基づいて前記発光装置に通電される電流または電圧を制御する制御部を備えることを特徴する照明システム。
【請求項７】
前記第２外部情報が前記第１外部情報と同一となるよう演算処理されることを特徴とする請求項６に記載の照明システム。
【請求項８】
外部情報、前記第１外部情報および／または前記第２外部情報を記憶情報として蓄積する記憶部と、をさらに備えたことを特徴とする請求項６または請求項７に記載の照明システム。
【請求項９】
前記第２外部情報が前記記憶情報と同一となるよう演算処理されることを特徴とする請求項８に記載の照明システム。
【請求項１０】
前記第１センサは屋外に設置されることを特徴とする請求項６〜９に記載の照明システム。
【請求項１１】
前記第１センサは海中または水中に設置されることを特徴とする請求項６〜１０のいずれか１つに記載の照明システム。
【発明の詳細な説明】
【技術分野】
【０００１】
本発明は、ＬＥＤ等を使用した照明装置および照明システムに関する。
【背景技術】
【０００２】
近年、蛍光灯や電球に代わってＬＥＤ（Light Emitting Diode）などの半導体発光素子を光源とする照明装置が用いられていれる。また、例えば、家電製品や乗用自動車などの塗装面の外観検査用光源としても発光素子を光源とする照明装置が用いられている。
【０００３】
半導体発光素子は、放射光の波長帯域が狭く、単一色の光しか放射できない。照明光を白色光としたい場合は、放射光の波長帯域が異なる複数の半導体発光素子を準備し、複数の放射光の混色によって白色光を実現している。または、同一波長の励起光によって波長帯域の異なる蛍光を発光する複数の蛍光体を準備し、半導体発光素子からの放射光と、半導体発光素子からの放射光によって励起されて発光する複数の蛍光の混色によって白色光を実現している。このような混色の手法を用いれば、白色光以外にも目的に応じたスペクトルを有する光源を作製することができる（特許文献１参照）。
【先行技術文献】
【特許文献】
【０００４】
【特許文献１】特開２０１５−１２６１６０号公報
【発明の概要】
【発明が解決しようとする課題】
【０００５】
しかしながら、特許文献１に開示された技術は、照明装置の発光強度および発光スペクトルの制御までは想定されておらず、その制御が困難なおそれがあった。
【課題を解決するための手段】
【０００６】
本発明の一実施形態に係る照明装置は、発光装置と、第１センサと、制御部とを備えている。第１センサは、外部情報を受信する。制御部は、発光装置に通電される電流または電圧を制御する。
【０００７】
本発明の一実施形態に係る照明システムは、発光装置と、第１センサと、受信部と、制御部と、第２センサと、演算部とを備えている。第１センサは、外部情報を受信して第１外部情報として無線送信する。受信部は、第１外部情報を受信する。第２センサは、発光装置から出射される光の情報を受信し、受信部に第２外部情報を無線送信する。演算部は、制御部と電気的に接続されており、第１外部情報と第２外部情報を比較し、演算処理をする。制御部は、さらに演算処理に基づいて発光装置に通電される電流または電圧を制御する。
【発明の効果】
【０００８】
本発明の一実施形態に係る照明装置によれば、上記の構成であることによって、発光スペクトルを制御することができるので、様々な状況に合せた光を発光させることができる。
【図面の簡単な説明】
【０００９】
【図１】本発明の実施形態に係る発光装置の外観斜視図である。
【図２】図１に示す発光装置を仮想線で示す平面で切断したときの断面図である。
【図３】図１に示す発光装置の他の実施形態を仮想線で示す平面で切断したときの断面図である。
【図４】図２に示す発光装置の拡大図である。
【図５】本発明の実施形態の発光装置における外部放射光のスペクトルを示すグラフである。
【図６】本発明の実施形態に係る発光装置を備える照明装置の外観斜視図である。
【図７】本発明の実施形態に係る照明装置の分解斜視図である。
【図８】本発明の実施形態に係る照明装置の筐体から透明性基板を取り外した状態を示す斜視図である。
【図９】本発明の実施形態に係る照明装置および照明システムの構成を示した図である。
【図１０】本発明の実施形態に係る照明装置および照明システムの構成を示した図である。
【図１１】本発明の実施形態に係る照明装置の構成を示した図である。
【発明を実施するための形態】
【００１０】
以下に本発明の実施形態に係る発光装置、照明装置および照明システムを、図面を参照しながら説明する。
【００１１】
＜発光装置および照明装置の構成＞
図１は、本発明の実施形態に係る発光装置の外観斜視図である。図２は、図１に示す発光装置を仮想線で示す平面で切断したときの断面図である。図３は、図１に示す発光装置を仮想線で示す平面で切断したときの断面図である。図４は、図２に示す発光装置の拡大図である。図５は、本発明の実施形態の発光装置における外部放射光のスペクトルを示すグラフである。これらの図において、発光装置１は、基板２と、発光素子３と、枠体４と、封止部材５と、波長変換部材６とを備えている。
【００１２】
発光装置１は、基板２と、基板２上に設けられた発光素子３と、基板２上に発光素子３を取り囲むように設けられた枠体４と、枠体４で囲まれた内側の空間内に、枠体４で囲まれる空間の上部の一部を残して充填された封止部材５と、枠体４で囲まれた内側の空間の上部の一部に、封止部材５の上面に沿って枠体４内に収まるように設けられた波長変換部材６と、を備えている。なお、発光素子３は、例えば、ＬＥＤであって、半導体を用いたｐｎ接合中の電子と正孔が再結合することによって、外部に向かって光を放出する。
【００１３】
基板２は、絶縁性の基板であって、例えば、アルミナまたはムライト等のセラミック材料、あるいはガラスセラミック材料等からなる。または、これらの材料のうち複数の材料を混合した複合系材料から成る。また、基板２は、基板２の熱膨張を調整することが可能な金属酸化物微粒子を分散させた高分子樹脂を用いることができる。
【００１４】
少なくとも基板２の主面または基板２の内部には、基板２の内外を電気的に導通する配線導体が設けられている。配線導体は、例えば、タングステン、モリブデン、マンガンまたは銅等の導電材料からなる。基板２がセラミック材料から成る場合は、例えば、タングステン等の粉末に有機溶剤を添加して得た金属ペーストを、基板２となるセラミックグリーンシートに所定パターンで印刷し、複数のセラミックグリーンシートを積層して、焼成することにより得られる。なお、配線導体の表面には、酸化防止のために、例えば、ニッケルまたは金等のめっき層が形成されている。また、基板２の上面には、基板２上方に効率良く光を反射させるために、配線導体およびめっき層と間隔を空けて、例えば、アルミニウム、銀、金、銅またはプラチナ等の金属反射層を形成してもよい。
【００１５】
発光素子３は、基板２の主面上に実装される。発光素子３は、基板２主面上に形成される配線導体の表面に被着するめっき層上に、例えば、ろう材または半田を介して電気的に
接続される。発光素子３は、透光性基体と、透光性基体上に形成される光半導体層とを有している。透光性基体は、有機金属気相成長法または分子線エピタキシャル成長法等の化学気相成長法を用いて、光半導体層を成長させることが可能なものであればよい。透光性基体に用いられる材料としては、例えば、サファイア、窒化ガリウム、窒化アルミニウム、酸化亜鉛、セレン化亜鉛、シリコンカーバイド、シリコーンまたは二ホウ化ジルコニウム等を用いることができる。なお、透光性基体の厚みは、例えば５０μｍ以上１０００μｍ以下である。
【００１６】
光半導体層は、透光性基体上に形成される第１半導体層と、第１半導体層上に形成される発光層と、発光層上に形成される第２半導体層とから構成されている。第１半導体層、発光層および第２半導体層は、例えば、ＩＩＩ族窒化物半導体、ガリウム燐またはガリウムヒ素等のＩＩＩ−Ｖ族半導体、あるいは、窒化ガリウム、窒化アルミニウムまたは窒化インジウム等のＩＩＩ族窒化物半導体等を用いることができる。なお、第１半導体層の厚みは、例えば１μｍ以上５μｍ以下であって、発光層の厚みは、例えば２５ｎｍ以上１５０ｎｍ以下であって、第２半導体層の厚みは、例えば５０ｎｍ以上６００ｎｍ以下である。また、このように構成された発光素子３は、例えば２８０ｎｍ以上４５０ｎｍ以下の波長範囲の励起光を発することができる。
【００１７】
枠体４は、例えば、酸化アルミニウム、酸化チタン、酸化ジルコニウムまたは酸化イットリウム等のセラミック材料、あるいは多孔質材料、あるいは酸化アルミニウム、酸化チタン、酸化ジルコニウムまたは酸化イットリウム等の金属酸化物からなる粉末を混合させた樹脂材料から成る。枠体４は、基板２の主面に、例えば樹脂、ろう材または半田等を介して接続されている。枠体４は、発光素子３と間隔を空けて、発光素子３を取り囲むように基板２の主面上に設けられている。また、枠体４は、傾斜する内壁面が、基板２の主面から遠ざかるに従い、外方に向かって広がるように形成されている。そして、枠体４の内壁面が、発光素子３から発せられる励起光の反射面として機能する。なお、平面視して、枠体４の内壁面の形状を円形とすると、発光素子３が放射する光を一様に反射面にて外方に向かって反射させることができる。
【００１８】
また、枠体４の傾斜する内壁面は、例えば、焼結材料からなる枠体４の内周面にタングステン、モリブデン、マンガン等から成る金属層と、金属層を被覆するニッケルまたは金等から成るめっき層を形成してもよい。このめっき層は、発光素子３の発する光を反射させる機能を有する。なお、枠体４の内壁面の傾斜角度は、基板２の主面に対して例えば５５度以上７０度以下の角度に設定されている。
【００１９】
基板２および枠体４で囲まれる内側の空間には、光透過性の封止部材５が充填されている。封止部材５は、発光素子３を封止するとともに、発光素子３の内部から発せられる光を外部に光を取り出す。さらに、発光素子３の外部に取り出された光が透過する機能を備えている。封止部材５は、基板２および枠体４で囲まれる内側の空間内に、枠体４で囲まれる空間の一部を残して充填されている。封止部材５は、例えば、シリコーン樹脂、アクリル樹脂またはエポキシ樹脂等の透光性の絶縁樹脂や透光性のガラス材料が用いられる。封止部材５の屈折率は、例えば１．４以上１．６以下に設定されている。
【００２０】
波長変換部材６は、基板２および枠体４で囲まれた内側の空間の上部に、封止部材５の上面に沿って設けられている。波長変換部材６は、枠体４内に収まるように形成されている。波長変換部材６は、発光素子３の発する光の波長を変換する機能を有している。すなわち、波長変換部材６は、発光素子３から発せられる光が封止部材５を介して内部に入射して、内部に含有される蛍光体が発光素子３から発せられる光によって励起されて、蛍光体からの蛍光を発するとともに、発光素子３からの光の一部を透過させて放射するものである。波長変換部材６は、例えば、フッ素樹脂、シリコーン樹脂、アクリル樹脂またはエ
ポキシ樹脂等の透光性の絶縁樹脂、または透光性のガラス材料からなり、その絶縁樹脂、ガラス材料中に、蛍光体が含有されている。蛍光体は、波長変換部材６中に均一に分散するようにしている。発光素子３および波長変換部材６中に含有される蛍光体としては、発光装置１から発せられる光の発光スペクトルが、図５に示すような発光スペクトルとなるように選ばれる。なお、照明装置１０に搭載される発光装置１は１つでもよいし、複数でもよい。よって、上述した発光スペクトルは複数の発光装置１から出射されるものであってもよい。
【００２１】
本発明の実施形態の発光装置１では、例えばピーク波長λが３６０〜４３０ｎｍに存在する発光素子３を用い、蛍光体として、例えば、ピーク波長が４３０〜７００ｎｍに存在するとともに青色の蛍光を発する蛍光体と、青緑色の蛍光を発する蛍光体と、を用いていてもよい。この他にも、緑色の蛍光を発する蛍光体と、赤色の蛍光を発する蛍光体と、近赤外領域の蛍光を発する蛍光体とをさらに用いてもよい。また、発光素子３は、青色（４３０〜５００ｎｍ）にピーク波長λを有する青色ＬＥＤでもよいし、赤色ＬＥＤ、より短波長の紫外ＬＥＤでもよい。
【００２２】
各蛍光体は例えば、青色を示す蛍光体は、ＢａＭｇＡｌ１０Ｏ１７：Ｅｕ、（Ｓｒ，Ｃａ，Ｂａ）１０（ＰＯ４）６Ｃｌ２：Ｅｕ，（Ｓｒ，Ｂａ）１０（ＰＯ４）６Ｃｌ２：Ｅｕであり、青緑色を示す蛍光体は、（Ｓｒ，Ｂａ，Ｃａ）５（ＰＯ４）３Ｃｌ：Ｅｕ，Ｓｒ４Ａｌ１４Ｏ２５：Ｅｕである。緑色を示す蛍光体は、ＳｒＳｉ２（Ｏ，Ｃｌ）２Ｎ２：Ｅｕ、（Ｓｒ，Ｂａ，Ｍｇ）２ＳｉＯ４：Ｅｕ２＋、ＺｎＳ：Ｃｕ，Ａｌ、Ｚｎ２ＳｉＯ４：Ｍｎである。赤色を示す蛍光体としては、Ｙ２Ｏ２Ｓ：Ｅｕ、Ｙ２Ｏ３：Ｅｕ、ＳｒＣａＣｌＡｌＳｉＮ３：Ｅｕ２＋、ＣａＡｌＳｉＮ３：Ｅｕ、ＣａＡｌＳｉ（ＯＮ）３：Ｅｕである。近赤外領域を示す蛍光体は、３Ｇａ５Ｏ１２：Ｃｒである。
【００２３】
＜照明装置の構成＞
図９〜図１１に示すように、本発明の実施形態に係る照明装置１０は、上述した発光装置１と、制御部７１と、第１センサ９１とを備えている。
【００２４】
制御部７１は、発光装置１の発光スペクトルを制御する部分である。例えば、発光装置１から発光する発光強度を調整することができる。また、発光装置１が複数の発光素子３を有する場合には、発光装置１の回路に対して、どの発光素子に電圧を加えるか、どの程度の電圧または電流を加えるか等を調整することができる。このとき、どの発光素子を選択するかも調整してもよい。また、発光装置１が複数ある場合には、どの発光装置を発光させるか、どの発光装置の発光強度を大きくするか等の調整も可能である。また、制御部７１は外部から受信した信号や情報に基づいて上述した発光装置１への制御を行なう。なお、制御部７１とはＣＰＵなどの演算装置やメモリなどを含むものであってもよい。
【００２５】
第１センサ９１は、外部情報を受信する部分である。第１センサ９１は、光検出器やスペクトルメーター等が搭載されているものであってもよい。第１センサ９１において、受信した外部情報をデータに変換し、第１外部情報として、照明装置１０本体へ送信する。第１センサ９１は有線によって照明装置１０の本体に接続されていてもよいし、照明装置１０の本体から独立しており、無線通信によって信号や情報（第１外部情報）を送信する形でもよい。なお、照明装置１０の本体とは、発光装置１を含む筐体１１に囲まれた発光部分をいう。第１センサ９１が無線通信によって第１外部情報を送信する際は、照明装置からより遠方の情報を基に発光装置の発光スペクトルを制御することが可能となる。また、照明装置の本体と接続される第１センサ９１は複数であってもよい。
【００２６】
照明装置１０は、第１センサ９１から送信された第１外部情報に基づいて、制御部７１において、発光装置１から放射される発光スペクトルが制御される。具体的には、例えば
、第１センサ９１を屋外に設置し、第１センサ９１内にある光検出器やスペクトルメーターなどで１４時の太陽光の光を受信したら、受信した情報が第１外部情報として送信され、制御部７１にて、発光装置１から出射される光の発光強度およびスペクトルが１４時の太陽光の光と同等になるように、発光装置１に通電される電流または電圧の出力を上げる等の制御を行なう。つまり、ある特定の地域、特定の時間の太陽光、特定の色を再現するために、どの発光装置をどのぐらいの出力で調整するかを制御することができる。例えば、青、赤、緑、白の光をそれぞれ発光する発光装置が有る場合には、青と白を組み合わせて発光させ、その出力を調整することで、薄い水色から濃い水色まで、また、赤と白を組み合わせて発光させ、その出力を調整することで、薄いピンクから濃いピンクまで再現することができる。これにより、屋内空間に発光装置１が設けられていたとしても、照明装置１０を用いることで、特定の屋外と同じ光の環境をリアルタイムで再現することができる。
【００２７】
本発明の実施形態に係る照明装置１０は、第１センサ９１と制御部７１を備えていることによって、第１センサ９１にて受信した外部情報に基づき、電流または電圧を制御することができるため、発光装置１の発光スペクトルおよび発光強度を調整することができる。
【００２８】
また、本発明の実施形態に係る発光装置１およびそれを備えた照明装置１０は、複数の蛍光体６０の温度が変動し、それぞれの蛍光体から放射される、ピーク波長における蛍光の出力が変動することによって生じる、発光装置１から放射される光の色のバラツキを小さくすることができる。すなわち、複数の蛍光体６０のうち１つの蛍光体から放射される、ピーク波長における蛍光の出力が変動する場合であっても、他の蛍光体から放射される蛍光によって発光装置１からの光の色を所定の光の色に保持できる可能性が高くなる。よって、本発明の実施形態に係る発光装置１は、蛍光体から放射される、ピーク波長における発光強度が変動することによって生じる、発光装置１から放射される光の色のバラツキを低減することができる。
【００２９】
本発明の実施形態に係る照明装置１０は、外部情報をデータとして蓄積する記憶部７２をさらに備えていてもよい。記憶部７２は、ある特定の場所や時間における光のスペクトルおよび色等に関する情報あるいは第１センサ９１からの第１外部情報を記憶情報として蓄積するサーバである。このとき、照明装置１０は、記憶部７２から蓄積した外部情報を取り出して活用することができる。このことで、記憶部７２にて蓄積した外部情報に基づき、発光装置１は、制御部７１にて発光スペクトルおよび発光強度を調整することで、特定の場所や時間の光を再現することができる。
【００３０】
本発明の実施形態に係る照明装置１０は、発光装置１から発光された発光スペクトルの情報を受信する第２センサ９２をさらに備えていてもよい。このことによって、常に発光装置１から出射される光の情報をモニタリングすることができる。光の情報とは例えば光のスペクトルや周囲温度、時間などである。また、第１センサ９１と第２センサ９２が同じ種類のものであってもよい。さらに第２センサ９２で受信した光の情報を第２外部情報として送信し、第２外部上等と記憶情報を比較して、比較結果に基づき、光の情報（第２外部情報）と記憶情報が一致するように演算する演算部７３を有していてもよい。
【００３１】
記憶情報に基づいて再現させた光を発光装置１から出射し、その光の発光スペクトル（光の情報）を第２センサ９２で受信する。第２センサ９２で受信した光の情報をデータに変換し、第２外部情報として演算部７３に送信する。第２センサ９２は有線によって照明装置１０の本体に接続されていてもよいし、照明装置１０の本体から独立しており、無線通信によって信号や情報（第２外部情報）を送信する形でもよい。第２センサ９２が無線通信によって第２外部情報を送信する際は、照明装置本体との接続配線が不要となる。演算部７３において、記憶情報と第２外部情報との差異を求めるように比較、演算される。そして、演算結果に基づいて発光装置１から出射される発光スペクトルが記憶情報の発光スペクトルと一致するように、制御部７１において発光装置１に通電される電流及び電圧を制御する。第２センサ９２を用いることにより、常に発光装置１から出射される光の情報（発光スペクトル）をフィードバックすることで、記憶情報と一致する光を再現させることができる。例えば屋内環境における温度や湿度の影響によって、発光装置１の発光スペクトルが記憶情報に基づき正確に再現出来ていない場合にも、第２センサ９２にて発光スペクトルを検知することによって、より正確に再現できるよう、演算部７３や制御部７１にて補正することができる。また、上述の実施形態においては、第２センサを用いる例を示したが、第１センサ９１を用いて発光装置１から出射された発光スペクトルを受信して制御する形態でもよい。
【００３２】
また、第１センサ９１で受信した外部情報と、第２センサ９２で受信した光の情報とが一致するように演算する演算部７３や受信部８１をさらに有していてもよい。第１センサで受信した外部情報をデータに変換し、第１外部情報として受信部８１に送信する。第２センサ９２で受信した光の情報をデータに変換し、第２外部情報として受信部８１に送信する。例えば第１センサ９１は遠隔地である屋外に設置されている。第２センサ９２は発光装置１の光をモニタリングするよう設置されている。演算部７３を有していることによって、常に第１外部情報と第２外部情報を比較、演算することで、第１外部情報と第２外部情報に差異が生じている場合にも、発光装置１の発光スペクトルが第１外部情報と同等になるよう補正することができる。これにより、発光装置１は第１外部情報に基づいた発光スペクトルをより正確に再現することができる。また第１外部情報に変化が生じた場合にも発光装置１の発光スペクトルを即座に補正することができる。これにより、発光装置１が位置する屋内において、特定の遠隔地の光をリアルタイムで再現させることができる。
【００３３】
さらに、本発明の実施形態に係る発光装置１は、太陽光のスペクトルに近似する、演色性の高い光を放射するように調整することができる。即ち、太陽光のスペクトルにおける相対光強度と、本発明の実施形態に係る発光装置１の発光スペクトルにおける相対光強度との差を小さくするように調整ができ、太陽光に近似した照明装置１０を作製することができる。
【００３４】
図５は本実施形態の発光装置１で用いられる複数の蛍光体６０を含む発光スペクトルの一例を示している。図５の発光スペクトルにおいて、最も高い発光強度を１とする相対光強度で示したスペクトルである。なお、発光スペクトルは、測定された実測値に基づき、相対光強度を示している。
【００３５】
図６は、本実施形態に係る発光装置を備える照明装置の外観斜視図であり、図７は、図６に示す照明装置の分解斜視図である。図８は、図７に示す照明装置の筐体から透光性基板を取り外した状態を示す斜視図である。照明装置１０は、発光素子３を有する複数の発光装置を備えている。そして、複数の発光装置から放射された光に対して、３６０〜４３０ｎｍの波長領域に第１ピーク波長λ１を有し、３６０〜７８０ｎｍの波長領域に複数のピーク波長λｘに有している。
【００３６】
照明装置１０は、例えば上方に開口している長尺の筐体１１と、筐体１１内に長手方向に沿ってライン状に複数個配列された発光装置１と、複数の発光装置１が実装される長尺の配線基板１２と、筐体１１によって支持され、筐体１１の開口を閉塞する長尺の透光性基板１３とを備えている。
【００３７】
筐体１１は、例えば透光性基板１３を保持する機能と、発光装置１の発する熱を外部に
放散させる機能とを有している。筐体１１は、例えば、アルミニウム、銅またはステンレス等の金属、プラスチックまたは樹脂等から構成される。筐体１１は、長手方向に延びる底部２１ａ、および底部２１ａの幅方向の両端部から立設し、長手方向に延びる一対の支持部２１ｂを有し、上方および長手方向の両側で開口している長尺の本体部２１と、本体部２１における長手方向一方側および他方側の開口をそれぞれ閉塞する２つの蓋部２２とから成っている。各支持部２１ｂの筐体１１の内側における上部には、長手方向に沿って透光性基板１３を保持するための凹所が互いに対向するように形成された保持部が設けられている。筐体１１は、長手方向の長さが、例えば、１００ｍｍ以上２０００ｍｍ以下に設定されている。
【００３８】
配線基板１２は、筐体１１内の底面に固定される。配線基板１２は、例えば、リジッド基板、フレキシブル基板またはリジッドフレキシブル基板等のプリント基板が用いられる。配線基板１２の配線パターンと発光装置１における基板２の配線パターンとが、半田または導電性接着剤を介して電気的に接続される。そして、配線基板１２からの信号が基板２を介して発光素子３に伝わり、発光素子３が発光する。なお、配線基板１２には、外部に設けられた電源から配線を介して電力が供給される。
【００３９】
透光性基板１３は、発光装置１から発せられる光が透過する材料からなり、例えば、アクリル樹脂またはガラス等の光透過性材料から構成される。透光性基板１３は、矩形状の板体であって、長手方向の長さが、例えば、９８ｍｍ以上１９９８ｍｍ以下に設定されている。透光性基板１３は、本体部２１における長手方向一方側または他方側の開口から、上述の各支持部２１ｂに形成されている凹所内に挿し込み、長手方向に沿ってスライドさせることにより、複数の発光装置１から離れた位置で、一対の支持部２１ｂによって支持される。そして、本体部２１における長手方向一方側および他方側の開口を蓋部２２で閉塞することにより、照明装置１０は構成される。
【００４０】
なお、上記の照明装置１０は、複数の発光装置１を直線状に配列した線発光の照明装置であるが、これに限らず複数の発光装置１をマトリクス状や千鳥格子状に配列した面発光の照明装置であってもよい。
【００４１】
本発明の実施形態における発光装置１は、１つの波長変換部材６中に含まれる蛍光体として、上記のように、青色の蛍光を放射する蛍光体、青緑色の蛍光を放射する蛍光体、緑色の蛍光を放射する蛍光体、赤色の蛍光を放射する蛍光体および近赤外領域の蛍光を放射する蛍光体からなる５種類の蛍光体を含む構成としたが、これに限らず、２種類の波長変換部材を備えるようにしてもよい。２種類の波長変換部材を備える場合には、第１の波長変換部材とし、第２の波長変換部材とに異なる蛍光体を分散あるいは、異なる組合せで蛍光体を分散させて、１つの発光装置にこれら２つの波長変換部材を設け、それぞれの波長変換部材を通過して出射される光を混合するようにしてもよい。このようにすることで、放射される光の演色性をコントロールしやすくできる。
【００４２】
作製した発光装置１の発光スペクトルは、図５に示した発光スペクトルである。
【００４３】
＜照明システムの構成＞
本発明の実施形態に係る照明システム１００は、発光装置１と、第１センサ９１と、受信部８１と、第２センサ９２と、演算部７３と、制御部７１とを備えている。なお、上述した照明装置１０では、装置そのものに、発光装置１を含む本体から離れた位置に設置される各構成が組込まれていたが、照明システム１００では、第１センサ９１や第２センサ９２などが照明装置１０の外部に設けられて、連動するようになっていればよい。例えば、第１センサが個人的な携帯機器に付属のスペクトルメーターなどを接続したものであり、スペクトルメーターで取得した発光スペクトルを照明装置１０にデータとして送信することができる照明システムである。また、照明装置１０と同じ構成については、照明システム１００でも同様の挙動を示すものである。よって、本発明の実施形態に係る照明システム１００の構成例は上述の照明装置１０と同様、図９および図１０に示すものとなる。
【００４４】
本発明の実施形態に係る照明システム１００は、外部情報と光の情報をそれぞれ第１センサ９１および第２センサ９２で受信する。例えば第１センサ９１は遠隔地に位置し、遠隔地の情報を第１外部情報として送信し、第２センサ９２は、発光装置１の近傍に設置され、発光装置１から出射される光の情報を受信して、受信部８１に第２外部情報として送信する。照明システム１００は、第１外部情報と第２外部情報を受信部８１にて受信し、演算部７３にてこの２つの外部情報を比較、演算処理を行なっている。上述の照明装置１０と同様に、制御部７１は、この演算処理に基づいて、発光装置１の発光スペクトルおよび発光強度を調整している。これにより、照明システム１００は、第１センサ９１が位置する特定の場所の光をリアルタイムで精度よく再現することができる。
【００４５】
本発明の照明システム１００は、記憶部７２を有していてもよい。記憶部７２は、記憶情報を保持しており、第２外部情報が記憶情報と同一となるよう演算処理されてもよい。また、任意の第１外部情報や第２外部情報を記憶情報として追加、蓄積してもよい。
【００４６】
また、第１センサ９１は、屋外に位置していてもよい。このとき、第１センサ９１は、屋外の天気、温度、光のスペクトル等の情報を検知するセンサのようなものであってもよい。これにより、照明システム１００本体が設けられている屋内空間の光の発光スペクトルを屋外環境と同等にすることができる。また、第１センサ９１は海中または水中に位置していてもよい。このとき、水中の太陽光スペクトルや水温などの情報を検知することができる。これにより、水中での太陽光スペクトルをリアルタイムで再現することができるため、水生生物育成用の照明システムなどの用途に有用である。
【００４７】
なお、本発明は上述の実施形態の例に限定されるものではなく、数値などの種々の変形は可能である。本実施形態における特徴部の種々の組み合わせは上述の実施形態の例に限定されるものではない。
【符号の説明】
【００４８】
１  発光装置
１０  照明装置
１００  照明システム
１１  筐体
１２  配線基板
１３  透光性基板
２  基板
２１  本体部
２１ａ  底部
２１ｂ  支持部
２２  蓋部
３  発光素子
４  枠体
５  封止部材
６  波長変換部材
６０  蛍光体
７１  制御部
７２  記憶部
７３  演算部
８１  受信部
９１  第１センサ
９２  第２センサ
λ  ピーク波長
【図１】
2020107422.tif 000003
【図２】
2020107422.tif 000004
【図３】
2020107422.tif 000005
【図４】
2020107422.tif 000006
【図５】
2020107422.tif 000007
【図６】
2020107422.tif 000008
【図７】
2020107422.tif 000009
【図８】
2020107422.tif 000010
【図９】
2020107422.tif 000011
【図１０】
2020107422.tif 000012
【図１１】
2020107422.tif 000013